(57)【要約】【課題】天井スラブ１から吊り下げられた磁性材料からなるバー材６を格子状に組んだ天井下地に対し、バー材６下部の支持部６ｃに天井板１０が周縁部で載せ掛けられた状態で支持されるシステム天井において、通常の天井板１０のそのまま用いながら、その浮上がりを磁力によって抑制する。【解決手段】天井板１０がバー材６から浮き上がるのを抑制する天井板浮上がり抑制具Ａを設ける。この抑制具Ａは、バー材６の固定部６ａ上面に吸着保持される固定磁石１６を有する吸着部１５と、この吸着部１５に接続され、吸着部１５が固定磁石１６によってバー材６に吸着保持された状態で天井板１０を上方からバー材６の支持部６ｃに押し付ける押え部２２とを備える。【選択図】図４
2019167777.tif 000002
【特許請求の範囲】
【請求項１】
天井スラブから吊り下げられた磁性材料からなるバー材を格子状に組んだ天井下地に対し、上記バー材の支持部に周縁部で載せ掛けられた状態で支持される天井材が該バー材から浮き上がるのを抑制する天井材浮上がり抑制具であって、
上記バー材に吸着保持される固定磁石を有する吸着部と、
上記吸着部に接続され、該吸着部が固定磁石によってバー材に吸着保持された状態で上記天井材を上方からバー材の上記支持部に押し付ける押え部とを備えたことを特徴とする天井材浮上がり抑制具。
【請求項２】
請求項１において、
吸着部はバー材の上面に吸着されるように構成されていることを特徴とする天井材浮上がり抑制具。
【請求項３】
請求項１又は２において、
押え部は、天井材上面の周縁部に当接する上面当接部と、該上面当接部に連続し、天井材の側面に当接する側面当接部とを有することを特徴とする天井材浮上がり抑制具。
【請求項４】
請求項１〜３のいずれか１つにおいて、
押え部の平面視の大きさが吸着部よりも大きいことを特徴とする天井材浮上がり抑制具。
【請求項５】
請求項１〜４のいずれか１つにおいて、
固定磁石は吸着部にリベット結合、ねじ止め又は接着により固定されていることを特徴とする天井材浮上がり抑制具。
【請求項６】
請求項１〜５のいずれか１つにおいて、
固定磁石がネオジウム磁石からなることを特徴とする天井材浮上がり抑制具。
【請求項７】
請求項１〜６のいずれか１つの天井材浮上がり抑制具が施工されたことを特徴とするシステム天井。
【請求項８】
請求項７において、
各天井材の互いに対向する辺部にそれぞれ天井材浮上がり抑制具が配置されていることを特徴とするシステム天井。
【発明の詳細な説明】
【技術分野】
【０００１】
本発明は、天井材浮上がり抑制具及びそれが施工されたシステム天井に関する。
【背景技術】
【０００２】
一般に、オフィスの天井として、照明設備、空調設備、安全設備（感知器、スプリンクラー、排煙設備、点検口等）を効率的に配置することができるシステム天井が利用されている。このシステム天井は、鉄等の金属製の複数のバー材を平行状や格子状に組んで天井スラブから吊り下げ、これらのバー材に各種の設備機器と天井材（天井板）とを載せ掛けることで構成されている。この構造によれば、大面積の天井工事であっても簡単に行うことができるだけでなく、メンテナンスや改装も手間をかけずに行うことができる。上記天井材としては、軽量で吸音性や意匠性に優れたロックウール化粧吸音板が一般的に用いられている。
【０００３】
しかし、このような構造では、天井材の周縁部がバー材に載置された状態で支持されているだけであるので、地震等の揺れがあると、天井材がバー材から浮き上がってしまい、甚だしい場合には落下する虞れがある。
【０００４】
そこで、従来、例えば特許文献１に示されるように、天井材下面の周縁部でバー材のフランジ部上に載置される部分に永久磁石を接着し、その永久磁石をバー材のフランジ部に磁力により吸着させることで、天井材の浮上がりを抑制する技術が提案されている。
【０００５】
また、特許文献２には、バー材下端の保持片上面に磁石を取り付け、天井材の下面全体に磁性体薄板を貼り付け、その磁性体薄板を保持片上面の磁石に吸着させることにより、電磁波をシールドしながら、天井材の浮上がりを抑制するようにすることが示されている。
【先行技術文献】
【特許文献】
【０００６】
【特許文献１】特開２０１５−２１２４７２号公報
【特許文献２】特開平３−２２１６４５号公報
【発明の概要】
【発明が解決しようとする課題】
【０００７】
しかし、上記従来の特許文献１及び特許文献２の技術では、いずれもロックウール等の天井材に磁石や磁性体を取り付けねばならず、その取付けが困難で手間も面倒となるだけでなく、天井材が磁石や磁性体を備えた特別のものとなってコストの面で難がある。
【０００８】
本発明は斯かる諸点に鑑みてなされたもので、その目的は、天井材の浮上がり抑制のための構造を工夫することにより、通常の天井材をそのまま用いながら、その浮上がりを磁石の磁力によって抑制しようとすることにある。
【課題を解決するための手段】
【０００９】
上記の目的を達成すべく、この発明では、バー材に磁石によって吸着される部分と、天井材に当接する部分とを有する治具を設け、その治具を磁石によってバー材に吸着した状態で天井材をバー材の支持部に押し付けて保持するようにした。
【００１０】
具体的には、第１の発明は、天井スラブから吊り下げられた磁性材料からなるバー材を格子状に組んだ天井下地に対し、上記バー材の支持部に周縁部で載せ掛けられた状態で支持される天井材が該バー材から浮き上がるのを抑制する天井材浮上がり抑制具が対象であり、この抑制具は、上記バー材に吸着保持される固定磁石を有する吸着部と、この吸着部に接続され、該吸着部が固定磁石によってバー材に吸着保持された状態で上記天井材を上方からバー材の上記支持部に押し付ける押え部とを備えたことを特徴とする。
【００１１】
この第１の発明では、各天井材が周縁部でバー材の支持部に載せ掛けられた状態で支持されているとき、天井材浮上がり抑制具の吸着部が固定磁石によってバー材に吸着され、その吸着状態において同抑制具の押え部により天井材が上方からバー材の支持部に押し付けられる。このため、地震等の揺れによって天井材がバー材から浮き上がろうとしても、抑制具の押え部による天井材の押し付けによって天井材の浮上がりを抑制することができる。このように天井材とは別途に浮上がり抑制具を設けて、その抑制具を天井材上側に施工するだけで天井材の浮上がりを抑制できるので、天井材としては通常一般のものをそのまま用いることができ、天井材がコストアップするのを回避できるだけでなく、天井材に磁石や磁性体を貼り付ける作業も不要となり、特別な製造工程が不要となる。
【００１２】
また、点検等のために天井材をバー材から取り外す場合には、その天井材を抑制具と共にその吸着部の固定磁石の吸着力に抗して押し上げればよく、その点検等の作業を支障なく行うことができる。
【００１３】
第２の発明は、第１の発明において、上記吸着部はバー材の上面に吸着されるように構成されていることを特徴とする。
【００１４】
この第２の発明では、浮上がり抑制具は吸着部がバー材の上面に吸着される構造のものであるので、その吸着部の固定磁石による吸着方向が下方向となって押え部による天井材の押し付け方向と一致するようになり、天井材を確実にバー材の支持部に押し付けることができる。
【００１５】
また、吸着部がバー材の側面に吸着される構造である場合、その側面に対する吸着位置が上下方向にばらつくことがあり、その位置の違いによって押え部が天井材の上面と隙間が生じてしまい、確実に押し付けることが困難な状態になる可能性が生じるが、吸着部がバー材の上面に吸着される構造であると、その吸着状態で押え部が天井材上面を押さえるように吸着部と押え部との間の高さ寸法を設定しておけば、上記のように押え部と天井材の上面と間に隙間が生じることはなく、天井材を安定してバー材の支持部に押し付けることができる。
【００１６】
第３の発明は、第１又は第２の発明において、上記押え部は、天井材上面の周縁部に当接する上面当接部と、該上面当接部に連続し、天井材の側面に当接する側面当接部とを有することを特徴とする。
【００１７】
この第３の発明では、天井材は押え部により、その天井材の上面に押え部の上面当接部が、また側面に側面当接部がそれぞれ当接した状態で押さえられるので、天井材を水平横方向にずれることなく安定して確実にバー材の支持部に押し付けることができる。
【００１８】
第４の発明は、第１〜第３の発明のいずれか１つにおいて、上記押え部の平面視の大きさが吸着部よりも大きいことを特徴とする。
【００１９】
この第４の発明では、吸着部の大きさを小さくして磁石の吸着力を調整した上で、それよりも大きい面積の押え部によって天井材を安定して押し付けることができる。
【００２０】
第５の発明は、第１〜第４の発明のいずれか１つにおいて、上記固定磁石は吸着部にリベット結合、ねじ止め又は接着により固定されていることを特徴とする。こうすると、固定磁石を吸着部に確実に固定することができる。
【００２１】
第６の発明は、第１〜第５の発明のいずれか１つにおいて、上記固定磁石がネオジウム磁石からなることを特徴とする。このように磁力による吸着力が大きいネオジウム磁石を固定磁石とすることで、小さい固定磁石でも天井材を確実に安定してバー材の支持部に押し付けることができる。
【００２２】
第７の発明はシステム天井に係り、このシステム天井は第１〜第６の発明のいずれか１つの天井材浮上がり抑制具が施工されたことを特徴とする。
【００２３】
この第７の発明では、第１の発明と同様に、天井材とは別の浮上がり抑制具を天井材上側に施工するだけで天井材の浮上がりを抑制でき、天井材としては通常一般のものをそのまま用いることができ、天井材のコストアップを抑制でき、天井材に磁石や磁性体を貼り付ける作業も不要となり、特別な製造工程が不要となる。
【００２４】
第８の発明は、第７の発明において、各天井材の互いに対向する辺部にそれぞれ天井材浮上がり抑制具が配置されていることを特徴とする。
【００２５】
この第８の発明では、各天井材がその対向する辺部においてそれぞれ天井材浮上がり抑制具によりバー材の支持部に押し付けられることとなり、地震等の揺れによって天井材が片側だけ浮き上がるようなことはなく、その浮上がりを安定して確実に防止することができる。
【発明の効果】
【００２６】
以上説明したように、本発明によると、天井下地としてのバー材の支持部に各天井材が周縁部で支持されるシステム天井において、バー材に吸着保持される固定磁石を有する吸着部と、この吸着部が固定磁石によってバー材に吸着保持されたときに、天井材を上方からバー材の上記支持部に押し付ける押え部とを備えた天井材浮上がり抑制具を設けたことにより、地震等の揺れによって天井材がバー材から浮き上がるのを抑制具の押し付けによって抑制することができるとともに、通常一般の天井材をそのまま用いて天井材のコストアップを防止でき、天井材に磁石や磁性体を貼り付ける特別な製造工程を不要化することができる。
【図面の簡単な説明】
【００２７】
【図１】図１は、本発明の実施形態に係る天井材浮上がり抑制具の正面図である。
【図２】図２は、天井材浮上がり抑制具の側面図である。
【図３】図３は、天井材浮上がり抑制具の平面図である。
【図４】図４は、天井材に天井材浮上がり抑制具を施工した構造の要部を示す正面図である。
【図５】図５は、天井材に天井材浮上がり抑制具を施工した構造の全体構成を示す正面図である。
【図６】図６は、システム天井の構造を上側から見て示す斜視図である。
【図７】図７は、システム天井の構造を拡大して示す断面図である。
【発明を実施するための形態】
【００２８】
以下、本発明の実施形態を図面に基づいて詳細に説明する。以下の実施形態の説明は、本質的に例示に過ぎず、本発明、その適用物或いはその用途を制限することを意図するものでは全くない。
【００２９】
図６及び図７は本発明の実施形態に係るシステム天井を示し、１は建物の室内の天井部分を構成する天井スラブ、２は上端が天井スラブ１に埋め込まれて固定された吊りボルト、３は該吊りボルト２の下端部にナット４，４により取り付けられたハンガーであって、このハンガー３の下端部に複数のバー材６，６，…が取付固定されており、この構造により、複数のバー材６，６，…は天井スラブ１から吊りボルト２及びハンガー３によって吊り下げられている。
【００３０】
上記各バー材６は断面Ｔ字状の磁性材料（例えば鉄）からなるもので、図４に示すように、上端に位置しかつ上面が例えば水平方向に延びる平面とされた矩形筒状の固定部６ａと、この固定部６ａの下端から下向きに延びる２枚重ねの板状の連結部６ｂと、この連結部６ｂの下端に連続する左右１対の支持部６ｃ，６ｃとを備えている。各支持部６ｃは、連結部６ｂから該連結部６ｂと離れる側に水平方向に延びた後に下側に折り曲げられ、その下端部で連結部６ｂ側に近付く側に折り曲げられて先端部が折り返されているものである。そして、上記固定部６ａにハンガー３の下端部が取付固定されており、各バー材６は、連結部６ｂと支持部６ｃ，６ｃとで断面Ｔ字状をなして該Ｔ字が逆向きになった状態で吊り下げられている。
【００３１】
上記複数のバー材６，６，…は水平縦方向及び水平横方向に並べられて平面視で格子状に組まれており、これらのバー材６，６，…により面一状の天井下地が構成されている。バー材６，６，…の間には複数の矩形状の収容口８，８，…が形成され、これらの収容口８，８，…の一部には照明器具や空調機器等の天井設備機器（図示せず）が固定支持され、残りの収容口８，８，…にはそれぞれ天井板１０，１０，…（天井材）が各々の周縁部でバー材６の支持部６ｃ上に載せ掛けられた状態で支持されており、これら天井設備機器及び天井板１０，１０，…により格子状のグリッド天井面が形成されている。
【００３２】
上記各天井板１０は、収容口８の大きさに対応した例えば６００×６００ｍｍの例えばロックウール材からなり、その四周縁部の下側隅角部には該隅角部を断面矩形状に切り欠いた切欠き段部１０ａ（図４参照）が形成されており、この各切欠き段部１０ａの下面を収容口８周りのバー材６の支持部６ｃの上面に載置しかつ切欠き段部１０ａの側面を支持部６ｃの側面に当接させることで、天井板１０がバー材６に載せ掛けられた状態で支持されている。尚、図示しないが、各天井板１０の室内側（下側）の表面に吸音用の複数のピン穴が開口されている。
【００３３】
本実施形態では、このようなシステム天井において、バー材６に載せ掛けられた状態で支持されている各天井板１０が該バー材６から浮き上がるのを抑制するための天井板浮上がり抑制具Ａ（単に抑制具ともいう）が施工されている。図１〜図３に示すように、この抑制具Ａは、例えばＳＵＳ３０４ステンレス鋼等の材料を折り曲げ形成したもので、その上端部に、上記バー材６の固定部６ａの上面に吸着保持される吸着部１５を備えている。この吸着部１５は、下側に開放された断面コ字状のものであり、その内部にはネオジウム磁石からなる矩形板状の固定磁石１６が収容され、この固定磁石１６は吸着部１５の底壁部（上壁部）に皿リベット１７のカシメ結合により固定されており、図４に示すように、この固定磁石１６の磁力によって吸着部１５がバー材６の固定部６ａ上面に吸着保持されるようになっている。尚、固定磁石１６は、上記リベット１７のカシメ結合の他に、ねじ止め又は接着により固定されるようにしてもよい。
【００３４】
上記吸着部１５の一側部（図１及び図３の右側部）には接続部１９の上端が一体に接続されている。この接続部１９は左右方向から見て略三角形状の板材からなり、その上下端部にはそれぞれ矩形状の矩形板部１９ａ，１９ｂが形成され、上側矩形板部１９ａは吸着部１５の長さと同じ長さとされて上端部で吸着部１５に連続している。下側矩形板部１９ｂの下端部には押え部２２が接続されている。よって、この押え部２２は接続部１９を介して吸着部１５に接続されている。
【００３５】
上記押え部２２は、吸着部１５が固定磁石１６によってバー材６の固定部６ａ上面に吸着保持された状態で、そのバー材６の支持部６ｃに支持されている上記天井板１０を上方から該バー材６の支持部６ｃに押し付けるためのものであり、この押え部２２の平面視の大きさは吸着部１５よりも大きいものとされている。
【００３６】
具体的には、押え部２２は、接続部１９の下側矩形板部１９ｂの下端部から吸着部１５と反対側に延びた後に折り返されて２枚重ねとなり、次いで該下側矩形板部１９ｂの下端部を超えて吸着部１５側に若干量だけ延びる上面当接部２２ａと、この上面当接部２２ａの先端に連続し、その先端から直角に下側に延びる側面当接部２２ｂとを有する。図４に示すように、上面当接部２２ａは天井板１０上面の周縁部に、また側面当接部２２ｂは天井板１０の切欠き段部１０ａ上側の側面にそれぞれ当接するようになっており、これら当接部２２ａ，２２ｂ間に天井板１０の上部隅角部を位置付けた状態で該天井板１０をバー材６の支持部６ｃに押し付けるようにしている。
【００３７】
そして、上記天井板浮上がり抑制具Ａは、図５及び図６に示すように、各天井板１０の互いに対向する両辺部にそれぞれ配置されている。このとき、各抑制具Ａは天井板１０の辺部の長さ方向の中央部に配置されていることが望ましいが、その位置では、隣接する天井板１０の抑制具Ａと干渉するときに、双方の天井板１０，１０の抑制具Ａ，Ａの一方又は両方を天井板１０の辺部の長さ方向の中央部から少しずらしてもよく、図６はその状態を示している。また、これとは異なり、各天井板１０の対角線方向に対向する角部近くにそれぞれ抑制具Ａ，Ａを配置することもできる。
【００３８】
本実施形態では、上記抑制具Ａの吸着部１５における固定磁石１６の磁力を調整することにより、例えば地震の際の縦方向の加速度が１Ｇ（９８０ガル）であっても、天井板１０がバー材６から浮き上がらないようにしている。
【００３９】
この実施形態に係る天井板浮上がり抑制具Ａを施工する場合には、図４及び図５に示すように、天井板１０を周縁部でバー材６の支持部６ｃに載置支持して施工した後、その天井板１０の周縁部の対向する辺部にそれぞれ抑制具Ａ，Ａの押え部２２，２２を上面及び側面当接部２２ａ，２２ｂ間に天井板１０の上部隅角部が位置するように配置しながら、その各抑制具Ａの吸着部１５をバー材６の固定部６ａ上面に載せて固定磁石１６により吸着させるとよく、その作業を各天井板１０の施工の都度順に行う。
【００４０】
或いは、各天井板１０をバー材６に支持する前に、予めその天井板１０の周縁部上面に抑制具Ａの押え部２２の上面当接部２２ａを両面テープ等で接着して、抑制具Ａを起立した状態で天井板１０に一体的に仮止めしておき、その天井板１０をバー材６に支持するように施工してもよい。そのときには、天井板１０がバー材６の支持部６ｃに支持されると同時に、抑制具Ａの吸着部１５がバー材６の固定部６ａ上面に吸着され、押え部２２により天井板１０がバー材６の支持部６ｃに押し付けられる。
【００４１】
したがって、上記実施形態では、各天井板１０がバー材６下部の支持部６ｃに周縁部で載せ掛けられた状態で支持されているとき、天井板浮上がり抑制具Ａの吸着部１５が固定磁石１６によってバー材６の固定部６ａ上面に吸着され、その吸着状態において同抑制具Ａの押え部２２により天井板１０が上方からバー材６の支持部６ｃに押し付けられる。このため、地震等の揺れによって天井板１０がバー材６から浮き上がろうとしても、抑制具Ａの押え部２２による天井板１０の押し付けによって天井板１０の浮上がりを抑制することができる。
【００４２】
そして、このように天井板１０とは別途に浮上がり抑制具Ａを設けて、その抑制具Ａを天井板１０上側に施工するだけで天井板１０の浮上がりを抑制できるので、天井板１０としては通常一般のものをそのまま用いることができる。そのため、天井板１０がコストアップするのを抑制できるだけでなく、天井板１０に磁石や磁性体を貼り付ける作業も不要となり、特別な製造工程が不要となる。
【００４３】
また、システム天井の施工中や施工後に点検等のために作業者が天井板１０をバー材６から取り外す場合には、その天井板１０を抑制具Ａと共に吸着部１５の固定磁石１６の吸着力に抗して押し上げればよく、その点検等の作業を支障なく行うことができる。例えば縦方向の加速度が上記のように１Ｇ（９８０ガル）である条件下で、天井板１０がバー材６から浮き上がらないように抑制具Ａの吸着部１５における固定磁石１６の磁力が設定されているとすると、その天井板１０は縦方向の加速度が１Ｇよりも大きい例えば２．５Ｇ（２４５０ガル）に相当する力であれば押し上げることができる。その場合、天井板１０の重さが例えば１．５ｋｇであると、その押し上げのために必要な力は４ｋｇ程度となり、作業者が支障なく容易に押し上げ得る程度のものとなる。
【００４４】
また、上記抑制具Ａの吸着部１５はバー材６の固定部６ａ上面に吸着される構造のものであるので、その吸着部１５の固定磁石１６による吸着方向が下方向となって天井板１０に対する押え部２２による押し付け方向と一致するようになり、天井板１０を確実にバー材６の支持部６ｃに押し付けることができる。
【００４５】
仮に、上記吸着部１５がバー材６の例えば固定部６ａの左右側面に吸着される構造に設定されていると、その側面に対する吸着位置は上下方向にばらつくことがあり、その位置の違いによって押え部２２が天井板１０の上面と隙間が生じてしまい、そのときには確実に押し付けることが困難な状態になることがある。しかし、この実施形態では、吸着部１５がバー材６の上面に吸着される構造であるので、その吸着状態で押え部２２が天井板１０上面を押さえるように吸着部１５と押え部２２との間の高さ寸法を設定しておきさえすれば、上記のように押え部２２と天井板１０の上面と間に隙間が形成されてしまうようなことは生じず、その結果、天井板１０を安定してバー材６の支持部６ｃに押し付けることができる。
【００４６】
さらに、抑制具Ａの押え部２２は、天井板１０上面の周縁部に当接する上面当接部２２ａと、この上面当接部２２ａに連続し、天井板１０の側面に当接する側面当接部２２ｂとを有するので、上記のように、天井板１０は、その上面が押え部２２の上面当接部２２ａに、また側面が側面当接部２２ｂにそれぞれ当接した状態で押さえられる。このことで、天井板１０を水平横方向にずれることなく安定して確実にバー材６の支持部６ｃに押し付けることができる。
【００４７】
また、抑制具Ａの押え部２２の平面視の大きさが吸着部１５よりも大きいので、吸着部１５の大きさを小さくして固定磁石１６の吸着力を調整した上で、それよりも大きい面積の押え部２２によって天井板１０を安定して押し付けることができる。
【００４８】
加えて、抑制具Ａの吸着部１５における固定磁石１６が磁力による吸着力の大きいネオジウム磁石であるので、小さい固定磁石１６であっても天井板１０を確実に安定してバー材６の支持部６ｃに押し付けることができる。
【００４９】
また、抑制具Ａは、各天井板１０において対向する辺部にそれぞれ配置されているので、その天井板１０は対向する辺部においてそれぞれバー材６の支持部６ｃに押し付けられることとなり、地震等の揺れによって天井板１０が片側だけ浮き上がるようなことはなく、その浮上がりを安定して確実に防止することができる。
【００５０】
（その他の実施形態）
尚、上記実施形態では、抑制具Ａの押え部２２は、上面当接部２２ａと側面当接部２２ｂとを有するものであるが、このような構造に限定されず、天井板１０を上方からバー材６の支持部６ｃに押し付け得る構造であればよい。
【００５１】
また、上記実施形態では、抑制具Ａは押え部２２の平面視の大きさが吸着部１５よりも大きい構造であるが、このような構造に限定されない。また、固定磁石１６はネオジウム磁石以外の磁石も採用することができる。
【００５２】
さらに、上記実施形態では、各天井板１０につき２つの抑制具Ａ，Ａを配置しているが、これとは異なり、各天井板１０に３つ以上の抑制具Ａ，Ａ，…を配置することもでき、逆にスペース等の関係で複数の抑制具Ａ，Ａ，…の配置が困難である場合には、１つの抑制具Ａを配置してもよい。
【産業上の利用可能性】
【００５３】
本発明は、通常一般の天井材を用いつつその浮上がりを抑制できるので、極めて有用で産業上の利用可能性が高い。
【符号の説明】
【００５４】
Ａ  抑制具
１  天井スラブ
６  バー材
６ａ  固定部
６ｃ  支持部
１０  天井板（天井材）
１５  吸着部
１６  固定磁石
２２  押え部
２２ａ  上面当接部
２２ｂ  側面当接部
【図１】
2019167777.tif 000003
【図２】
2019167777.tif 000004
【図３】
2019167777.tif 000005
【図４】
2019167777.tif 000006
【図５】
2019167777.tif 000007
【図６】
2019167777.tif 000008
【図７】
2019167777.tif 000009